(57)【要約】【課題】  ケース本体の開口を開くことで所望する数量の錠剤を選択してケース内から出せるように、小型、かつ薄型の錠剤ケースを提供すること。【解決手段】  錠剤を収納するケース本体と、ケース本体の上部にスライド自在に装着されるスライドキャップとからなる錠剤ケースであって、ケース本体は、後ケースと前ケースとからなり、後ケースは、後壁と、周壁と、後壁の上側端縁に立設された上壁と、中壁とを具え、周壁の両側端部内面と上壁との間には、錠剤の開口が形成されており、上壁には、上下に弾性変形可能な押上部が形成され、該押上部の先端部には、選別ストッパーと、押込み突部が設けられており、中壁には、一定幅の開口が設けられ、ケース本体内の上壁と中壁との間に、選別室が形成されており、スライドキャップは、頂壁と、側壁と、中板とを具え、中板には、テーパー面と、テーパー面を挟む下面を有する係合凹部が形成されていることを特徴とする。【選択図】  図１
2008213841.tif 000002
【特許請求の範囲】
【請求項１】
錠剤を収納するケース本体と、ケース本体の上部にスライド自在に装着されるスライドキャップとからなる錠剤ケースであって、
ケース本体は、後ケースと前ケースとからなり、
後ケースは、後壁と、後壁の下側および両側端縁から立設された周壁と、後壁の上側端縁の中央部に立設された上壁と、後壁の所定の位置に立設された中壁とを具え、
周壁の両側端部内面と上壁との間には、錠剤の開口が形成されており、
上壁には、上下に弾性変形可能な押上部が形成され、該押上部の先端部には、選別ストッパーと、押込み突部が設けられており、
中壁には、押上部の選別ストッパーと対応する位置に、一定幅の開口が設けられ、ケース本体内の上壁と中壁との間に、選別室が形成されており、
スライドキャップは、頂壁と、頂壁のそれぞれの端縁から垂設された側壁と、頂壁の下面に垂設された中板とを具え、
中板の下端部の所定の位置には、係合凹部が形成され、該係合凹部には、ケース本体の押上部の押込み突部と対応する位置に、テーパー面と、テーパー面を挟む下面が形成されていることを特徴とする錠剤ケース。
【請求項２】
後ケースは、後壁の上端面にスライド突部を具え、
前ケースは、前壁の上側端面にスライド突部を具え、
スライドキャップは、前側壁と後側壁の内面下端部にケース本体のそれぞれのスライド突部と係合する係合部が配設されるとともに、中板が、それぞれのスライド突部の間でスライド可能な幅で形成されていることを特徴とする請求項１記載の錠剤ケース。
【請求項３】
押上部の選別ストッパーは、中央部が山形に突出するように傾斜部が形成されていることを特徴とする請求項１、２記載の錠剤ケース。
【請求項４】
ケース本体内の、上壁と中壁との間に、押上部の選別ストッパーを境に、選別室が二つ形成されていることを特徴とする請求項１〜３記載の錠剤ケース。
【発明の詳細な説明】
【技術分野】
【０００１】
本発明は、粒状の内容物を収納する錠剤ケース、特に、ケース本体にスライドキャップを装着し、スライドキャップをスライドして、錠剤をケース本体の開口より設定した数量出せるようにした錠剤ケースに関するものである。
【背景技術】
【０００２】
カプセルや、薬品などの錠剤、または粒状のガム、キャンディなどの菓子類などを複数個収納した錠剤ケースにおいて、蓋体を開蓋して開口し、ケース内から錠剤を出すようにした小型かつ薄型の錠剤ケースは、従来より知られている（例えば、特許文献１参照）。
【特許文献１】特開平１１−２２２２７５号
【発明の開示】
【発明が解決しようとする課題】
【０００３】
しかしながら、上記特許文献１記載の錠剤ケースは、開蓋して錠剤を出す際に、錠剤を一つ出すのに、手などを開口付近に添えるなどして簡単に出すことができるが、所望した複数個の錠剤を出す場合、ケースを傾けている時間だけ錠剤が開口より出てしまうので、所望する数の錠剤のみを出すことが難しいという問題があった。
【０００４】
本発明は、上記の問題点を解決することを課題として、ケース本体の開口を開くことで所望する数量の錠剤を選択してケース内から出せるように、小型、かつ薄型の錠剤ケースを提供することを目的とする。
【課題を解決するための手段】
【０００５】
本発明は、上記の課題を解決するため、錠剤ケースとして、錠剤を収納するケース本体と、ケース本体の上部にスライド自在に装着されるスライドキャップとからなる錠剤ケースであって、ケース本体は、後ケースと前ケースとからなり、後ケースは、後壁と、後壁の下側および両側端縁から立設された周壁と、後壁の上側端縁の中央部に立設された上壁と、後壁の所定の位置に立設された中壁とを具え、周壁の両側端部内面と上壁との間には、錠剤の開口が形成されており、上壁には、上下に弾性変形可能な押上部が形成され、該押上部の先端部には、選別ストッパーと、押込み突部が設けられており、中壁には、押上部の選別ストッパーと対応する位置に、一定幅の開口が設けられ、ケース本体内の上壁と中壁との間に、選別室が形成されており、スライドキャップは、頂壁と、頂壁のそれぞれの端縁から垂設された側壁と、頂壁の下面に垂設された中板とを具え、中板の下端部の所定の位置には、係合凹部が形成され、該係合凹部には、ケース本体の押上部の押込み突部と対応する位置に、テーパー面と、テーパー面を挟む下面が形成されていることを特徴とする構成を採用する。
【０００６】
ケース本体の実施例として、後ケースは、後壁の上端面にスライド突部を具え、前ケースは、前壁の上側端面にスライド突部を具え、スライドキャップは、前側壁と後側壁の内面下端部にケース本体のそれぞれのスライド突部と係合する係合部が配設されるとともに、中板が、それぞれのスライド突部の間でスライド可能な幅で形成されていることを特徴とする構成を採用する。
【０００７】
選別ストッパーの実施例として、押上部の選別ストッパーは、中央部が山形に突出するように傾斜部が形成されていることを特徴とする構成を採用する。
【０００８】
選別室の実施例として、ケース本体内の、上壁と中壁との間に、押上部の選別ストッパーを境に、選別室が二つ形成されていることを特徴とする構成を採用する。
【発明の効果】
【０００９】
本発明の錠剤ケースは、ケース本体と、ケース本体の上部に、スライド自在に装着されたスライドキャップとからなり、ケース本体内に、選別室を設け、上壁に選別室に通じる開口を形成しているので、スライドキャップをケース本体に対して左右どちらかにスライドさせて、ケース本体の上壁の開口よりケース本体内の選別室から設定した数量の錠剤を出すことができる。
また、ケース本体内の選別室を二つ形成し、上壁の開口を二つ形成することにより、スライドキャップを左右どちらかにスライドさせることによって、どちらかの選別室から異なる数量の錠剤を選択して出すことができる。
【発明を実施するための最良の形態】
【００１０】
次に、本発明の錠剤ケースの実施形態について、図面を参照して説明する。
図１において、Ａはケース本体、Ｂはケ−ス本体Ａの上部にスライド自在に装着されるスライドキャップ、Ｐはケース本体Ａ内に収納される錠剤である。
【００１１】
ケース本体Ａは、図１、２に示すように、後ケースＡ１と前ケースＡ２とからなっており、ヒンジＡ３を介して一体成形されている。
本実施形態では、後ケースＡ１と前ケースＡ２とをヒンジＡ３を介して一体成形しているが、後ケースＡ１と前ケースＡ２とを別体で形成して、重ね合わせて係合するようにしてもよい。
【００１２】
後ケースＡ１は、後壁１と、後壁１の下側および両側端縁から立設された周壁２と、後壁１の上側端縁の中央部に立設された上壁３と、後壁１の上壁３側上面の所定の位置に立設された中壁４と、後壁１の上壁３側端面に突設され、スライドキャップＢをスライド可能に装着させるスライド突部５とを具えている。
上壁３の両側と周壁２の両側端部内方との間には、ほぼ錠剤Ｐ一個分の幅、またはそれ以上の幅を有する開口６ａ、６ｂが形成されている。
【００１３】
後壁１の上面の所定の位置には、前ケースＡ２と係合する係合筒部７が複数配設されている。
周壁２の先端の内方部には、係合段部８が凹設されている。
【００１４】
上壁３は、所定の位置で内方が切込み９により切込まれ、壁基部３ａと、壁基部３ａの側端に連設され、連設部を支点に上下に弾性変形可能な押上部１０と、壁基部３ｂとが形成されている。
【００１５】
押上部１０の先端部には、後ケースＡ１の下方に向かって突設される選別ストッパー１１と、後ケースＡ１の上方に向かって突設される押込み突部１２が形成されている。
選別ストッパー１１は、斜面部１１ａと斜面部１１ｂにより中央部１１ｃが山形に突出するように形成されている。
【００１６】
中壁４には、上壁３の押上部１０の選別ストッパー１１と対応する位置に、ほぼ
錠剤Ｐ二個分の幅の開口１３が切込まれている。
スライド突部５の後壁１側面上部には、係合突部１４が設けられている。
【００１７】
前ケースＡ２は、前壁１５と、前壁１５の下側および両側端縁から立設された周壁１６と、前壁１５の上端面に突設されたスライド突部１７とを具えている。
【００１８】
前壁１５の所定の位置には、後ケースＡ１の係合筒部７内周に嵌入する嵌合突部１８が複数配設されている。
周壁１６の先端面には、後ケースＡ１の周壁２の係合段部８に係合する係合突部１９が突設されている。
スライド突部１７の前壁１５側面上部には、係合突部２０が設けられている。
【００１９】
図１に示すように、後ケースＡ１に前ケースＡ２を装着してケース本体Ａとした時に、後ケースＡ１の上壁３と中壁４との間に、上壁３の押上部１０の選別ストッパー１１を境に、開口６ａ側に錠剤Ｐがほぼ三個収納される選別室Ｓａと、開口６ｂ側に錠剤Ｐがほぼ一個収納される選別室Ｓｂとが形成されるように選別ストッパー１１が配設されている。
【００２０】
スライドキャップＢは、図１、３に示すように、頂壁２５と、頂壁２５のそれぞれの端縁から垂設された前側壁２６と後側壁２７と左側壁２８と右側壁２９と、頂壁２５の下面に垂設され、両側が左側壁２８および右側壁２９内方に連設された中板３０とを具えている。
中板３０の幅は、スライドキャップＢをケース本体Ａに装着した際に、後ケースＡ１のスライド突部５内面と前ケースＡ２のスライド突部１７内面に当接しない幅で形成されている。
【００２１】
前側壁２６と後側壁２７の内面下端部には、後ケースＡ１のスライド突部５の係合突部１４および前ケースＡ２のスライド突部１７の係合突部２０と係合し、スライドキャップＢがケース本体Ａから抜け落ることを防止するとともに、横方向にスライド可能とする係合部３１ａおよび係合部３１ｂが配設されている。
【００２２】
中板３０の下端部の所定の位置には、係合凹部３２が切込まれ、係合凹部３２を挟んで下端面３０ａ、３０ｂが形成されている。
係合凹部３２には、後ケースＡ１の押上部１０の押込み突部１２と対応する位置に切込まれたテーパー面３３と、テーパー面３３を挟んで下面３２ａ、３２ｂとが形成されている。
テーパー面３３は、斜面部３３ａと斜面部３３ｂにより中央部３３ｃが山形に凹むように形成されている。
【００２３】
次に、本実施例の錠剤ケースの使用態様と作用効果について説明する。
本実施例の錠剤ケースの組立は、まず、錠剤Ｐを収納した後ケースＡ１に前ケースＡ２を装着してケース本体Ａを形成する。
次に、ケース本体Ａの上側にスライドキャップＢを装着して、図１に示すように、錠剤Ｐを収納した錠剤ケースを得ることができる。
【００２４】
錠剤の使用にあたっては、まず、錠剤ケースを倒立して、ケース本体Ａ内の錠剤Ｐを中壁４の開口１３より選別室Ｓａおよび選別室Ｓｂに設定した数量ずつ導入する。
その際、ケース本体Ａの上壁３の押上部１０の選別ストッパー１１の中央部１１ｃを境に、錠剤Ｐは開口１３より傾斜部１１ａおよび傾斜部１１ｂの面上を介して選別室Ｓａおよび選別室Ｓｂに振り分けられる。
【００２５】
また、スライドキャップＢの中板３０の下端面３０ａ、３０ｂが、ケース本体Ａの開口６ａ、６ｂと係合し、開口６ａ、６ｂからスライドキャップＢ内に錠剤Ｐが落ち込むことを防いでいる。
スライド前には、ケース本体Ａの上壁３の押上部１０の押込み突部１２の先端は、スライドキャップＢの中板３０の係合凹部３２のテーパー面３３の中央部３３ｃに位置している。
【００２６】
次に、スライドキャップＢをケース本体Ａに対して、開口６ｂ方向にスライドさせると、ケース本体Ａの上壁３の押上部１０の押込み突部１２の先端が、スライドキャップＢの係合凹部３２のテーパー面３３の斜面部３３ａに当接し、スライドしながら徐々に押上部１０を押込んで行く。
【００２７】
図４（ａ）に示すように、押込み突部１２の先端が、スライドキャップＢの係合凹部３２の下面３２ａに当接すると、押上部１０の押込みが完了する。
そして、スライドキャップＢの左側壁２８内面に、ケース本体Ａのスライド突部５、およびスライド突部１７の左側面が当接し、スライドが止められる。
【００２８】
ケース本体Ａの押上部１０が押込まれることで、選別ストッパー１１に当接している設定した数量以外の選別室Ｓａおよび選別室Ｓｂ内に入り込もうとしている錠剤Ｐを中壁４の開口１３から外側に押上げるとともに、開口１３を封鎖し、選別室Ｓａおよび選別室Ｓｂ内に他の錠剤Ｐが入り込むことを阻止する。
【００２９】
スライドキャップＢのスライドが終了すると、ケース本体Ａの開口６ａが開口され、選別室Ｓａ内から三個の錠剤Ｐのみを出すことができる。
【００３０】
また、スライドキャップＢをケース本体Ａに対して開口６ａ方向にスライドさせると、図４（ｂ）に示すように、スライドキャップＢの右側壁２９内方面にケース本体Ａのスライド突部５、およびスライド突部１７の右側面が当接し、スライドが止められるとともに、ケース本体Ａの開口６ｂが開口され、選別室Ｓｂ内から一個の錠剤Ｐのみを出すことができる。
【００３１】
ケース本体Ａの開口６ａ、または開口６ｂの何れかから錠剤Ｐを設定した数量出し終えると、スライドキャップＢをスライドさせ、開口６ａまたは開口６ｂを封鎖し、錠剤ケースを元の形に戻す。
【００３２】
その際、ケース本体Ａの上壁３の押上部１０の押込み突部１２の先端が、スライドキャップＢの係合凹部３２の下面３２ａまたは下面３２ｂからテーパー面３３にスライドし、テーパー面３３の斜面部３３ａまたは斜面部３３ｂの傾斜により、押上部１０に対する押込みが解消され、中央部３３ｃの位置で押上部１０の弾性により元の状態に戻る。
【００３３】
ケース本体Ａの押上部１０が元の状態に戻ると、押上部１０の選別ストッパー１１による中壁４の開口１３の封鎖が解かれ、再び、ケース本体Ａ内の錠剤Ｐを開口１３より選別室Ｓａおよび選別室Ｓｂに、設定した数量ずつ導入することができる。
【００３４】
また、押上部１０の復元力により、押上部１０の押込み突部１２の先端がスライドキャップＢの係合凹部３２を押し返す力が働くので、係合凹部３２のテーパー面３３の中央部３３ｃ付近以外の個所で当接した場合に若干の抵抗を感じ、スライドキャップＢの閉蓋位置が正確であるか否かを知ることができる。
【００３５】
上記実施形態では、選別室Ｓａでは錠剤Ｐ三個収納され、選別室Ｓｂでは錠剤Ｐが一個収納されるようにしたが、錠剤Ｐの大きさを小さいものにし、後ケースＡ１の上壁３の選別ストッパー１１および中壁４の開口１３の大きさを調整することで、個数の設定をせず、選別室Ｓａでは大量、選別室Ｓｂでは少量と、複数個の錠剤Ｐを選択して出すことができる。
また、後ケースＡ１の上壁３の選別ストッパー１１、および中壁４の開口１３の配置位置を変えることにより、選別室Ｓａおよび選別室Ｓｂに収納される錠剤Ｐの個数を調整することもできる。
【００３６】
上記実施形態の錠剤ケースでは、ケース本体Ａの上壁３の左右に開口６ａ、６ｂを設け、スライドキャップＢをケース本体Ａの左右にスライドすることによって、錠剤Ｐの個数を選択して、上壁３の開口６ａまたは開口６ｂの何れかから外に出すことができるようにしているが、図５（ａ）に示すように、ケース本体Ａの上壁３に、左側の開口６ａ一個所のみを設けて、それに合わせて中壁４の開口１３を選別室Ｓａ側に錠剤Ｐが一つ入る幅で形成する別実施形態のようにしてもよい。
【００３７】
上記の別実施形態では、まず、錠剤ケースを倒立させ、ケース本体Ａ内の錠剤Ｐを中壁４の開口１３より選別室Ｓａに設定した数量導入し、図５（ｂ）に示すように、スライドキャップＢをケース本体Ａの右側にスライドさせ、選別室Ｓａに導入した設定数量の錠剤Ｐのみをケース本体Ａの開口６ａから出すことができる。
【００３８】
また、別実施形態では、上壁３の押上部１０および中壁４の開口１３およびスライドキャップＢの係合凹部３２をずらして配設することによって、選別室Ｓａの大きさを変えて、選別室Ｓａに導入する数量を変えることもできる。
【産業上の利用可能性】
【００３９】
ケース本体に装着したスライドキャップをスライドさせることによって、ケース本体の開口から設定した数量の錠剤を出すことができる錠剤ケースとして、医薬品、サプリメント、タブレット状の菓子類などのケースとして、幅広く利用することができる。
【図面の簡単な説明】
【００４０】
【図１】本発明の実施形態の錠剤ケースの説明図で、（ａ）は錠剤ケースの縦断立面図、（ｂ）は図（ａ）のＡ−Ａ線における錠剤ケースの断面図である。
【図２】ケース本体を展開した説明図で、（ａ）は上面図、（ｂ）は立面図である。
【図３】スライドキャップの説明図で、（ａ）は縦断立面図、（ｂ）は下面図である。
【図４】スライドキャップをスライドした説明図で、（ａ）は右側にスライド時、（ｂ）は左側にスライド時である。
【図５】本発明の別実施形態の錠剤ケースの説明図で、（ａ）はスライド使用前、（ｂ）はスライド使用後である。
【符号の説明】
【００４１】
Ａ            ケース本体
Ａ１          後ケース
Ａ２          前ケース
Ａ３          ヒンジ
Ｂ            スライドキャップ
Ｐ            錠剤
Ｓａ、Ｓｂ    選別室
１            後壁
２、１６      周壁
３            上壁
３ａ、３ｂ    壁基部
４            中壁
５、１７      スライド突部
６ａ、６ｂ    開口
７            係合筒部
８            係合段部
９            切込み
１０          押上部
１１          選別ストッパー
１１ａ、１１ｂ、３３ａ、３３ｂ    傾斜部
１１ｃ、３３ｃ    中央部
１２          押込み突部
１３          開口
１４、１９、２０    係合突部    
１５          前壁
１８          嵌合突部
２５          頂壁
２６          前側壁
２７          後側壁
２８          左側壁
２９          右側壁
３０          中板
３０ａ、３０ｂ    下端面
３１ａ、３１ｂ    係合部
３２          係合凹部
３２ａ、３２ｂ    下面
３３          テーパー面
【図１】
2008213841.tif 000003
【図２】
2008213841.tif 000004
【図３】
2008213841.tif 000005
【図４】
2008213841.tif 000006
【図５】
2008213841.tif 000007